(57)【要約】【課題】使用者の顔面（両眼の周辺）と本体部との間に熱や水蒸気が籠ることを抑制することのできる換気装置を提供する。【解決手段】表示部３５が設けられた本体部３１が使用者Ｕの頭部Ｈに装着されるヘッドマウントディスプレイ１１に用いる換気装置１０である。空気を取り込みかつ取り込んだ空気を送出可能な送風部５１と、送風部５１に一端５２ａが接続され、送風部５１で形成された気流を一端５２ａと他端５２ｂとの間で案内する気流案内部５２と、を備え、気流案内部５２は、他端５２ｂが本体部３１と頭部Ｈとの間に開放される。【選択図】図５
2017022657.tif 000002
【特許請求の範囲】
【請求項１】
表示部が設けられた本体部が使用者の頭部に装着されるヘッドマウントディスプレイに用いる換気装置であって、
空気を取り込みかつ取り込んだ空気を送出可能な送風部と、
前記送風部に一端が接続され、前記送風部で形成された気流を前記一端と他端との間で案内する気流案内部と、を備え、
前記気流案内部は、前記他端が前記本体部と前記頭部との間に開放されることを特徴とする換気装置。
【請求項２】
前記ヘッドマウントディスプレイは、前記表示部の周囲を遮蔽すべく前記本体部に設けられる遮蔽部を備え、
前記遮蔽部は、前記本体部が前記頭部に装着されると前記頭部に宛がわれる接頭箇所を有し、
前記送風部は、前記本体部と前記頭部との間で前記遮蔽部に囲まれた遮蔽空間に、前記遮蔽部の外側との圧力差を形成することで、前記接頭箇所と前記頭部との間に気流を形成することを特徴とする請求項１に記載の換気装置。
【請求項３】
前記送風部は、前記ヘッドマウントディスプレイに画像データを出力する画像サーバにより駆動制御されることを特徴とする請求項１または請求項２に記載の換気装置。
【請求項４】
請求項１から請求項３のいずれか１項に記載の換気装置であって、
さらに、温度または湿度の少なくとも一方の検出が可能な環境状態センサを備え、
前記環境状態センサは、前記本体部と前記頭部との間から前記他端を経て前記送風部に至るまでの間に設けられ、
前記環境状態センサから出力される信号を、前記送風部の制御に利用することを特徴とする換気装置。
【請求項５】
前記気流案内部は、前記送風部とともに前記本体部に取り付けられることを特徴とする請求項１から請求項４のいずれか１項に記載の換気装置。
【請求項６】
表示部が設けられた本体部が使用者の頭部に装着されるヘッドマウントディスプレイであって、
空気を取り込みかつ取り込んだ空気を送出可能な送風部と、
前記送風部に一端が接続され、前記送風部で形成された気流を前記一端と他端との間で案内する気流案内部と、を備え、
前記気流案内部は、前記本体部に設けられ、前記他端が前記本体部と前記頭部との間に開放されることを特徴とするヘッドマウントディスプレイ。
【請求項７】
請求項６に記載のヘッドマウントディスプレイであって、
さらに、前記表示部の周囲を遮蔽すべく前記本体部に設けられる遮蔽部を備え、
前記遮蔽部は、前記本体部が前記頭部に装着されると前記頭部に宛がわれる接頭箇所を有し、
前記送風部は、前記本体部と前記頭部との間で前記遮蔽部に囲まれた遮蔽空間に、前記遮蔽部の外側との圧力差を形成することで、前記接頭箇所と前記頭部との間に気流を形成することを特徴とするヘッドマウントディスプレイ。
【請求項８】
前記表示部は、画像サーバから出力された画像データに基づく画像を表示し、
前記送風部は、前記画像サーバにより駆動制御されることを特徴とする請求項６または請求項７に記載のヘッドマウントディスプレイ。
【請求項９】
請求項６から請求項８のいずれか１項に記載のヘッドマウントディスプレイであって、
さらに、温度または湿度の少なくとも一方の検出が可能な環境状態センサを備え、
前記環境状態センサは、前記本体部と前記頭部との間から前記他端を経て前記送風部に至るまでの間に設けられ、
前記環境状態センサから出力される信号を、前記送風部の制御に利用することを特徴とするヘッドマウントディスプレイ。
【発明の詳細な説明】
【技術分野】
【０００１】
本発明は、換気装置およびヘッドマウントディスプレイに関する。
【背景技術】
【０００２】
従来から、ゴーグルや眼鏡のように頭部に装着した状態で画像を表示するヘッドマウントディスプレイが知られている。
【０００３】
このヘッドマウントディスプレイでは、表示部が設けられた本体部をゴーグルや眼鏡のように頭部に装着することで、その表示部が両眼に対向させて配置される(例えば、特許文献１参照)。このため、ヘッドマウントディスプレイでは、例えば、パソコン等の画像サーバから送られる画像を表示部に表示させることで、使用者を画像に没入させることができる。
【発明の概要】
【発明が解決しようとする課題】
【０００４】
しかしながら、ヘッドマウントディスプレイでは、表示部を両眼に対向させた状態で映像を見せるため、顔面における両眼の周辺と表示部が設けられた本体部とを近い間隔で対向させる。このため、ヘッドマウントディスプレイでは、顔面（両眼の周辺）と本体部との間に熱がこもり易い。すると、ヘッドマウントディスプレイでは、使用者が顔面（両眼の周辺）と他の箇所の温度差や顔面での発汗を不快に感じたり、表示部が曇ったりしてしまい、画像に没入させることの妨げとなる。
【０００５】
本発明は、上記の事情に鑑みて為されたもので、使用者の顔面（両眼の周辺）と本体部との間に熱や水蒸気が籠ることを抑制することのできる換気装置およびヘッドマウントディスプレイを提供することを眼的とする。
【課題を解決するための手段】
【０００６】
請求項１に記載の換気装置は、表示部が設けられた本体部が使用者の頭部に装着されるヘッドマウントディスプレイに用いる換気装置であって、空気を取り込みかつ取り込んだ空気を送出可能な送風部と、前記送風部に一端が接続され、前記送風部で形成された気流を前記一端と他端との間で案内する気流案内部と、を備え、前記気流案内部は、前記他端が前記本体部と前記頭部との間に開放されることを特徴とする。
【発明の効果】
【０００７】
本発明に係る換気装置では、使用者の顔面（両眼の周辺）と本体部との間に熱や水蒸気が籠ることを抑制することができる。
【図面の簡単な説明】
【０００８】
【図１】本発明の換気装置の一実施形態に係る実施例１の換気装置１０をヘッドマウントディスプレイ１１に設けた様子を示す説明図である。
【図２】ヘッドマウントディスプレイ１１に換気装置１０が設けられたディスプレイシステム１の内部構成をブロック図で示す説明図である。
【図３】換気装置１０を図１のＩ−Ｉ線に沿って得られた断面で示す説明図である。
【図４】ヘッドマウントディスプレイ１１および換気装置１０を図１のＩ−Ｉ線に沿って得られた断面で示すとともに、ヘッドマウントディスプレイ１１が装着される使用者Ｕの頭部Ｈを併せて示す説明図である。
【図５】本発明の換気装置の一実施形態に係る実施例２の換気装置１０Ａを示す説明図である。
【図６】ヘッドマウントディスプレイ１１および換気装置１０Ａを図４と同様の断面で示す説明図である。
【図７】ヘッドマウントディスプレイ１１に換気装置１０Ａが設けられたディスプレイシステム１Ａの内部構成を、図２と同様のブロック図で示す説明図である。
【図８】ヘッドマウントディスプレイ１１Ｂが設けられたディスプレイシステム１Ｂの内部構成を、図２および図７と同様のブロック図で示す説明図である。
【図９】ヘッドマウントディスプレイ１１Ｂを図４および図６と同様の断面で示す説明図である。
【発明を実施するための形態】
【０００９】
以下に、本発明に係る換気装置およびヘッドマウントディスプレイの各実施例について図面を参照しつつ説明する。
【実施例１】
【００１０】
本発明に係る換気装置の一例としての実施例１の換気装置１０を、図１から図４を用いて説明する。併せて、その一例としての換気装置１０を備えるヘッドマウントディスプレイの一例としての実施例１のヘッドマウントディスプレイ１１（以下ではＨＭＤ１１（Ｈｅａｄ  Ｍｏｕｎｔｅｄ  Ｄｉｓｐｌａｙ）ともいう）について説明する。
【００１１】
実施例１の換気装置１０は、図１に示すように、ＨＭＤ１１に取り付けられてディスプレイシステム１を構成する。そのディスプレイシステム１は、換気装置１０とＨＭＤ１１と画像サーバ１２（図２参照）とを有する。このディスプレイシステム１は、ＨＭＤ１１を装着した使用者Ｕ（図４等参照）が、画像サーバ１２から送られた画像（映像）を快適に観ることを可能とする。
【００１２】
その画像サーバ１２は、図２に示すように、ＨＭＤ１１（その後述するＨＭＤ制御部３８）および換気装置１０（その後述する換気制御部５７）と有線または無線で接続され、それらに適宜信号を送信する。画像サーバ１２は、ＨＭＤ１１に画像（その画像データ）を送る機器であり、例えばパソコンやスマートフォンやＨＤＤレコーダー等で構成される。この画像サーバ１２は、実施例１ではパソコンが用いられ、ＵＳＢ（Ｕｎｉｖｅｒｓａｌ  Ｓｅｒｉａｌ  Ｂｕｓ）ケーブル１３を用いてＨＭＤ１１（そのＨＭＤ制御部３８）および換気装置１０（その換気制御部５７）と接続される。
【００１３】
この画像サーバ１２は、サーバ制御部２１と記憶部２２とＵＳＢ端子２３とを有する。そのサーバ制御部２１は、外部機器から入力された画像（その画像データ）を適宜変換処理して記憶部２２に格納する。また、サーバ制御部２１は、外部機器から入力された画像（その画像データ）あるいは記憶部２２に格納された画像（その画像データ）を、適宜変換処理してＨＭＤ１１（その後述するＨＭＤ制御部３８）へと出力する。その変換処理は、例えば、ＨＭＤ１１（その後述する表示部３５）に適合する画像データとすることや、撮像された右眼用及び左眼用の画像を重ね合わせて３Ｄ画像データとすることがあげられる。ＵＳＢ端子２３は、規格に応じた外部入出力端子の接続を可能とし、接続されたＵＳＢケーブル１３を経てサーバ制御部２１と後述するＨＭＤ制御部３８や換気制御部５７との情報（画像データ等）の遣り取りを可能とする。
【００１４】
ＨＭＤ１１は、図１に示すように、本体部３１にブリンカー３２と装着部３３とが設けられて構成される。その本体部３１は、全体に箱状を呈し、後述するように装着部３３により使用者Ｕの頭部Ｈに装着されると、その使用者Ｕの顔面に対向される対向壁３４を有する（図４等参照）。本体部３１には、表示部３５が収容される。その表示部３５は、図２に示すように、一対の接眼レンズ３６と、一対の表示素子３７と、ＨＭＤ制御部３８と、ＵＳＢ端子３９と、を有する。
【００１５】
接眼レンズ３６は、対向壁３４に配置され（図１等参照）、使用者Ｕの左眼および右眼に対応すべく対を為す。この各接眼レンズ３６は、後述するように本体部３１が装着部３３により使用者Ｕの頭部Ｈに装着されると、使用者Ｕの対応する眼と適切な位置関係で対向される（図４参照）。接眼レンズ３６は、対応する各表示素子３７に表示された画像を所定の位置で所定の大きさとして、使用者Ｕ（その両眼）に認識させる。その表示素子３７は、対向壁３４に配置された各接眼レンズ３６の奥に設けられ（図４参照）、使用者Ｕの左眼および右眼すなわち各接眼レンズ３６に対応して対を為す。その各表示素子３７は、ＨＭＤ制御部３８から入力された画像データに基づく画像を表示させる。各表示素子３７は、実施例１では非透過型とされ、例えば、液晶ディスプレイ（Ｌｉｑｕｉｄ  Ｃｒｙｓｔａｌ  Ｄｉｓｐｌａｙ）を用いて構成することができ、実施例１では、有機ＥＬ（Ｅｌｅｃｔｒｏ  Ｌｕｍｉｎｅｓｃｅｎｃｅ）素子を用いる。なお、表示素子３７は、各接眼レンズ３６に対応して画像を表示するものであれば、単一の液晶ディスプレイで構成してもよく、実施例１の構成に限定されない。
【００１６】
ＨＭＤ制御部３８は、画像サーバ１２から送信された右眼用および左眼用の画像データを、各表示素子３７に適合する画像信号に変換する。また、ＨＭＤ制御部３８は、右眼用および左眼用の画像データに適宜ずらし処理等を行うことで、両表示素子３７により３次元画像（３Ｄ画像）を表示させることもできる。このずらし処理におけるずらし量は、例えば表示素子３７と眼との距離や両眼（両接眼レンズ３６）の間隔等に応じて適宜設定する。ＨＭＤ制御部３８は、生成した右眼用および左眼用の画像データを各表示素子３７にそれぞれ出力して、その画像データに基づく画像を表示させる。ＵＳＢ端子３９は、規格に応じた外部入出力端子の接続を可能とし、接続されたＵＳＢケーブル１３を経てＨＭＤ制御部３８とサーバ制御部２１との情報（画像データ等）の遣り取りを可能とする。この表示部３５を収容する本体部３１にブリンカー３２が設けられる。
【００１７】
そのブリンカー(Ｂｌｉｎｋｅｒｓ)３２は、使用者Ｕの視野を制限することで表示部３５に表示された画像に集中させるべく設けられ、両眼に対応する表示部３５の周辺を遮蔽するように本体部３１に設けられる遮蔽部である。ブリンカー３２は、実施例１では、図１に示すように、本体部３１の対向壁３４の外周縁部から後方（使用者Ｕ側）に突出して設けられ、断面が使用者Ｕの両眼を取り囲むことを可能な大きさの四角形とされた筒状を呈する。また、ブリンカー３２は、突出端３２ａが使用者Ｕの顔面に適合するように適宜湾曲され、突出端３２ａにおける下側の中央に切欠箇所４１が形成されている。この切欠箇所４１は、ブリンカー３２が使用者Ｕの鼻に干渉することを防止するものであり、隙間を置いて当該鼻を受け入れることが可能な大きさとされる。このブリンカー３２では、換気用の孔（換気孔）が設けられ、その換気孔が網目部材（メッシュ）で覆われて目隠しされている。
【００１８】
このブリンカー３２では、突出端３２ａに密接パッド４２が設けられる。その密接パッド４２は、後述するように本体部３１が装着部３３により使用者Ｕの頭部Ｈに装着された際に、使用者Ｕの顔面との間で弾性変形することが可能な材料で形成され、実施例１ではスポンジを用いている。密接パッド４２は、実施例１では、ブリンカー３２の突出端３２ａにおける切欠箇所４１を除く全周に亘り設けられる。このため、ブリンカー３２は、突出端３２ａが密接パッド４２を介して使用者Ｕの顔面に押し当てられると、密接パッド４２が変形しつつ突出端３２ａと顔面との間で適切に圧縮されることでその顔面に密接される。このため、ブリンカー３２では、突出端３２ａに設けられた密接パッド４２が、使用者Ｕの頭部Ｈに宛がわれる接頭箇所となる。このブリンカー３２は、使用者Ｕの両眼を取り囲みつつ本体部３１と使用者Ｕの顔面との間を略全周に亘り遮蔽することができ、外光を遮光してより鮮明な画像の提示を可能とする。このように、ＨＭＤ１１は、実施例１では、使用者Ｕの両眼を略完全に覆う所謂没入型とされている。
【００１９】
装着部３３は、帯状部材４３と取付部材４４と調整部材４５とを有する。その帯状部材４３は、紐やゴムバンド等で形成され、本体部３１の両側に設けられた取付部材４４を介して本体部３１に取り付けられる。帯状部材４３は、一方の取付部材４４から使用者Ｕの後頭部を通り、他方の取付部材４４に至る構成とされる。この帯状部材４３には、調整部材４５が設けられて長さの調節が可能とされる。調整部材４５は、例えばバックルやラッチ等の構成を採用することで、帯状部材４３の長さの調節を可能とする。この装着部３３は、帯状部材４３を使用者Ｕの後頭部に掛けつつ調整部材４５で長さ調節することで、ブリンカー３２の突出端３２ａの密接パッド４２を使用者Ｕの顔面に押し当てつつ本体部３１を使用者Ｕの頭部Ｈに装着させる（図４参照）。すると、ＨＭＤ１１では、本体部３１の表示部３５（その各接眼レンズ３６）が使用者Ｕ（その両眼）に適切な位置関係とされて、使用者Ｕの頭部Ｈに固定される（図４参照）。このＨＭＤ１１に換気装置１０が設けられる。
【００２０】
換気装置１０は、図１および図３に示すように、送風部５１と、その送風部５１（その後述する筐体５３）に接続された気流案内部５２と、を有する。送風部５１は、筐体５３に羽根部分５４を回転可能に収容されて構成される。筐体５３は、羽根部分５４を回転可能として収容する大きさ寸法の円筒状を呈し、上端に上側壁５３ａが設けられ、その上側壁５３ａには部分的に開放する上側開口５３ｂが設けられ、下端に全面に渡り開放する下側開口５３ｃが設けられる。
【００２１】
羽根部分５４は、上下方向に伸びる回転軸を回転中心として回転可能に、回転軸箇所５４ａが筐体５３の上側壁５３ａに取り付けられる。この羽根部分５４では、回転軸箇所５４ａに駆動機構としてのモータ５５（図２参照）が内蔵され、そのモータ５５（駆動機構）に適宜電力が供給されることで回転駆動される。羽根部分５４は、回転駆動することにより空気を取り込みかつ取り込んだ空気を送出可能であり、それにより回転軸が伸びる方向（上下方向）への気流を形成する。羽根部分５４は、回転方向を変化させることで気流の向きを逆転させることができる。このため、送風部５１は、羽根部分５４が一方の回転方向で回転駆動すると、下側開口５３ｃから周辺の空気を取り込み、その取り込んだ空気を上側開口５３ｂから送り出す。また、送風部５１は、羽根部分５４が他方の回転方向で回転駆動すると、上側開口５３ｂから空気を取り込み、その取り込んだ空気を下側開口５３ｃから送り出す。
【００２２】
気流案内部５２は、円筒形状を呈し、一端５２ａが送風部５１の筐体５３の上側開口５３ｂに接続されて設けられる。この気流案内部５２は、他端５２ｂがブリンカー３２に設けられた切欠箇所４１において、鼻を受け入れた状態で当該鼻との間に差し込むことを可能とする外径寸法とされる（図１および図４参照）。他端５２ｂには、鼻当材５６が設けられる。この鼻当材５６は、切欠箇所４１に差し込んだ他端５２ｂが鼻に直接触れることを防止するものであり、他端５２ｂと鼻との間で弾性変形することが可能な材料で形成され、実施例１ではスポンジを用いている。
【００２３】
この気流案内部５２は、一端５２ａが上側開口５３ｂに接続されているので、送風部５１が形成した気流を一端５２ａと他端５２ｂとの間で案内する。このため、換気装置１０は、送風部５１の羽根部分５４が一方の回転方向で回転駆動すると、その筐体５３の下側開口５３ｃから周辺の空気を取り込み、その取り込んだ空気を気流案内部５２の他端５２ｂから送り出す。また、換気装置１０は、送風部５１の羽根部分５４が他方の回転方向で回転駆動すると、気流案内部５２の他端５２ｂから周辺の空気を取り込み、その取り込んだ空気を送風部５１の筐体５３の下側開口５３ｃから送り出す。
【００２４】
この換気装置１０は、図２に示すように、上記した送風部５１のモータ５５に加えて、換気制御部５７と操作部５８とＵＳＢ端子５９とを有する。その換気制御部５７は、モータ５５を駆動制御することで、送風部５１（換気装置１０）の動作すなわち形成する気流の大きさ（風量）や向きを制御する。操作部５８は、送風部５１（換気装置１０）の動作の有無やその送風部５１（換気装置１０）が形成する気流の大きさ（風量）や向きを設定すべく操作が為される。この操作部５８は、為された操作に応じた信号を換気制御部５７へ向けて出力する。ＵＳＢ端子５９は、規格に応じた外部入出力端子の接続を可能とし、接続されたＵＳＢケーブル１３を経て換気制御部５７とサーバ制御部２１との情報（画像データ等）の遣り取りを可能とする。
【００２５】
その換気制御部５７は、モータ５５の回転駆動方向を調整することで、換気装置１０が形成する気流の向きを制御する。換気制御部５７は、操作部５８に為された気流の向きの設定の操作に応じてモータ５５の回転駆動方向を決定する。また、換気制御部５７は、モータ５５をパルス幅変調制御（ＰＷＭ制御）で動作させており、スイッチオンとオフとの比率（パルス波のデューティー比）を変化させることで送風部５１（換気装置１０）が形成する気流の大きさ（風量）を制御する。換気制御部５７は、実施例１では、気流の大きさ（風量）を１６段階に変化させるものとしている。この換気制御部５７は、操作部５８に気流を形成する旨の操作が為されると、モータ５５を回転駆動させて送風部５１（換気装置１０）に操作に応じた大きさの気流を形成させる。また、換気制御部５７は、サーバ制御部２１から気流を形成する旨の信号が入力されると、モータ５５を回転駆動させて送風部５１（換気装置１０）に信号に応じた大きさの気流を形成させる。
【００２６】
そのサーバ制御部２１からの気流を形成する旨の信号は、サーバ制御部２１がＨＭＤ１１（そのＨＭＤ制御部３８）に画像信号を出力する際に、それに合わせて換気制御部５７に出力する。そして、サーバ制御部２１は、気流の大きさ（風量）の調整のための信号も併せて換気制御部５７に出力する。その気流の大きさ（風量）の調整のための信号は、実施例１では、サーバ制御部２１がＨＭＤ１１（そのＨＭＤ制御部３８）に出力する画像信号（その画像）の内容に応じて気流の大きさ（風量）を調整させるべく生成する。その内容に応じるとは、例えば、画像がダンスのように興奮度合いが高く動作を喚起させる場合には気流の大きさ（風量）を大きくし、風景のように興奮度合いが低く動作を喚起させない場合には気流の大きさ（風量）を小さくすることをいう。また、その内容に応じるとは、例えば、その画像がダンスである場合、当該ダンスのテンポ（演奏の速度）が早くなると気流の大きさ（風量）を大きくし、当該テンポが遅くなると気流の大きさ（風量）を小さくすることをいう。なお、気流の大きさ（風量）の調整のための信号は、サーバ制御部２１がＨＭＤ１１（そのＨＭＤ制御部３８）に出力する画像信号（その画像）の内容と時間的に一致する必要はなく、内容の変化に先だって変化させる等のように時間的にずらしてもよい。
【００２７】
このディスプレイシステム１では、ＨＭＤ１１と換気装置１０と画像サーバ１２とをＵＳＢケーブル１３で接続する（図２参照）。そして、ＨＭＤ１１のブリンカー３２の切欠箇所４１に換気装置１０の気流案内部５２の他端５２ｂを差し込み、その換気装置１０（送風部５１の筐体５３および気流案内部５２）をＨＭＤ１１（その本体部３１（そこに設けられたブリンカー３２）に固定する（図１参照）。この固定は、ねじ止めによるものであってもよく、嵌め込みよるものであってもよく、実施例１では接着により行う。このとき、換気装置１０は、気流案内部５２の他端５２ｂに設けた鼻当材５６を、使用者Ｕ側（ブリンカー３２の突出端３２ａ側）に位置させて取り付ける。このため、ＨＭＤ１１では、使用者Ｕ側から見ると、ブリンカー３２の突出端３２ａにおいて、切欠箇所４１を除く全周に亘り設けられた密接パッド４２の両端の間に鼻当材５６が位置される（図１参照）。
【００２８】
そして、図４に示すように、気流案内部５２の他端５２ｂが差し込まれた切欠箇所４１に鼻を入れつつ、ＨＭＤ１１を装着部３３により使用者Ｕの頭部Ｈに装着する。すると、ＨＭＤ１１は、ブリンカー３２で本体部３１と使用者Ｕの顔面との間を略全周に亘り遮蔽しつつ使用者Ｕの両眼を取り囲み、その使用者Ｕの両眼に本体部３１の対向壁３４（そこに設けた表示部３５）を対向させる。このため、使用者Ｕの頭部Ｈ（その顔面）と本体部３１（その対向壁３４）との間には、ブリンカー３２で囲まれた遮蔽空間４６が形成される。その遮蔽空間４６には、ブリンカー３２の切欠箇所４１に他端５２ｂを差し込んだ換気装置１０の気流案内部５２が接続されている。このため、遮蔽空間４６は、気流案内部５２（他端５２ｂから一端５２ａ）および送風部５１の筐体５３（上側開口５３ｂから下側開口５３ｃ）を経て、ブリンカー３２の外方の空間と通じている。
【００２９】
このＨＭＤ１１では、遮蔽空間４６を規定する一面が使用者Ｕの頭部Ｈ（その顔面）であり、その使用者Ｕの頭部Ｈ（顔面）と本体部３１の対向壁３４（表示部３５）とを近い間隔で対向させているので、その間に使用者Ｕから発せられた熱がこもり易い。特に、実施例１のような没入型のＨＭＤ１１では、その間がブリンカー３２で囲まれて遮蔽空間４６が形成されるので、当該間（遮蔽空間４６）に使用者Ｕから発せられた熱がよりこもり易い。すると、ＨＭＤ１１では、頭部Ｈ（顔面）において、使用者Ｕの頭部Ｈ（顔面）と本体部３１の対向壁３４（表示部３５）との間に位置する箇所（両眼の周辺）と、その他の箇所と、の間での温度差が生じ、使用者Ｕが違和感を覚え不快に感じることが懸念される。また、ＨＭＤ１１では、籠った熱で使用者Ｕを発汗させてしまい、使用者Ｕが不快に感じることが懸念される。特に、これらのことは、使用者Ｕの頭部Ｈ（その顔面）と、そこに押し当てられる密接パッド４２と、の間で顕著なる。さらに、ＨＭＤ１１では、発汗に起因する水蒸気等が使用者Ｕの頭部Ｈ（顔面）と本体部３１の対向壁３４（表示部３５）との間に籠ることで、その対向壁３４に設けた表示部３５（その両接眼レンズ３６）が曇ることが懸念される。これらのことにより、使用者Ｕは、表示部３５に表示された画像に没入することが妨げられてしまうことが懸念される。
【００３０】
これに対し、ディスプレイシステム１では、ＨＭＤ１１に換気装置１０を設けて、気流案内部５２（他端５２ｂから一端５２ａ）および送風部５１の筐体５３（上側開口５３ｂから下側開口５３ｃ）を経て、遮蔽空間４６をブリンカー３２の外方の空間に通じさせる。その換気装置１０では、送風部５１の羽根部分５４を回転駆動することで、遮蔽空間４６に空気を強制的に送るあるいは遮蔽空間４６の空気を強制的に排出することができ、その遮蔽空間４６を強制的に換気することができる。このため、ディスプレイシステム１のＨＭＤ１１では、使用者Ｕの頭部Ｈ（顔面）と本体部３１の対向壁３４（表示部３５）との間に、熱や水蒸気が籠ることを防止することができる。これにより、ディスプレイシステム１のＨＭＤ１１では、温度差や発汗に起因する使用者Ｕの不快感や、表示部３５（その両接眼レンズ３６）が曇ることを防止することができ、使用者Ｕを画像に没入させることができる。
【００３１】
本発明に係る換気装置の一実施形態の換気装置１０は、送風部５１（その上側開口５３ｂ）に一端５２ａを接続した気流案内部５２の他端５２ｂを、ＨＭＤ１１の本体部３１の対向壁３４（表示部３５）と使用者Ｕの頭部Ｈ（顔面）との間に開放させて設ける。このため、換気装置１０は、送風部５１（その羽根部分５４）を回転駆動することで、ＨＭＤ１１の本体部３１の対向壁３４（表示部３５）と使用者Ｕの頭部Ｈ（顔面）との間を、強制的に換気することができる。これにより、換気装置１０は、当該間に熱や水蒸気が籠ることを防止することができる。このため、換気装置１０は、ＨＭＤ１１の使用者Ｕが温度差や発汗に起因する不快感を覚えることを防止でき、かつＨＭＤ１１の表示部３５（その両接眼レンズ３６）が曇ることを防止でき、使用者ＵをＨＭＤ１１の画像に没入させることができる。
【００３２】
また、換気装置１０では、送風部５１が生じさせる気流の向きを逆転させることで、ＨＭＤ１１の本体部３１の対向壁３４（表示部３５）と使用者Ｕの頭部Ｈ（顔面）との間に、空気を強制的に送る、あるいは当該間から空気を強制的に排出することができる。このため、換気装置１０では、当該間の強制的な換気の態様を、使用者Ｕの感覚に応じて、使用者Ｕが設定することができるように構成されている。すなわち、当該間に空気を強制的に送る場合、気流案内部５２の他端５２ｂからの気流が使用者Ｕの頭部Ｈ（顔面）に当たる可能性がある。このことは、より涼しさを感じて心地良く感じる使用者Ｕがいる一方、違和感を覚える使用者Ｕもいる。また、当該間から空気を強制的に排出する場合、当該間では全周方向から周囲の空気が入り込むので、当該間での気流が弱い。このことは、柔らかな涼しさに感じて心地良く感じる使用者Ｕがいる一方、冷え方が物足りないと感じる使用者Ｕもいる。これらのことから、換気装置１０では、使用者Ｕの感覚に応じて、使用者Ｕが送風部５１が生じさせる気流の向きを設定することで、使用者ＵをＨＭＤ１１の画像により没入させることができる。
【００３３】
さらに、換気装置１０では、送風部５１において、羽根部分５４の回転方向を変化させることで気流の向きを逆転させることができる。このため、換気装置１０では、送風部５１が生じさせる気流の向きを、使用者Ｕの感覚に応じるようにより簡易で容易に設定することができる。
【００３４】
換気装置１０では、使用者Ｕの頭部Ｈ（その顔面）と本体部３１（その対向壁３４）との間でブリンカー３２により囲まれた遮蔽空間４６に、送風部５１（その上側開口５３ｂ）に一端５２ａを接続した気流案内部５２の他端５２ｂを開放させる。このため、換気装置１０では、使用者Ｕから発せられた熱がよりこもり易い構成の没入型のＨＭＤ１１の遮蔽空間４６を強制的に換気することができ、その換気をより効果的とすることができる。
【００３５】
換気装置１０では、遮蔽空間４６に空気を強制的に送る、あるいは遮蔽空間４６から空気を強制的に排出することができる。このため、換気装置１０では、遮蔽空間４６とそれを構成するブリンカー３２の外側（その雰囲気）との間に圧力差を形成することができる。これにより、換気装置１０では、その圧力差で、使用者Ｕの頭部Ｈ（その顔面）とそこに押し当てられる密接パッド４２（接頭箇所）との間に気流を形成することができ、当該間に熱や水蒸気が籠ることを効果的に防止することができる。ここで、実施例１のＨＭＤ１１では、ブリンカー３２に網目部材（メッシュ）で覆われた換気孔が設けられているので、遮蔽空間４６とブリンカー３２の外側との間に圧力差を形成しても、その換気孔のみに気流が形成されることが考えられる。その場合、換気装置１０は、送風部５１で生じさせる気流の大きさ（風量）を調整して圧力差を大きくすることで、使用者Ｕの頭部Ｈ（その顔面）と密接パッド４２（接頭箇所）との間に気流を形成することができる。このため、換気装置１０は、遮蔽空間４６がブリンカー３２で囲まれて形成される没入型のＨＭＤ１１であっても、使用者Ｕの頭部Ｈ（その顔面）と密接パッド４２（接頭箇所）との間に熱や水蒸気が籠ることを確実に防止することができる。よって、換気装置１０は、使用者Ｕを没入型のＨＭＤ１１の画像により没入させることができる。
【００３６】
換気装置１０では、ＨＭＤ１１（そのＨＭＤ制御部３８）に画像データを出力する画像サーバ１２により、送風部５１（その羽根部分５４）が駆動制御される。このため、換気装置１０では、ＨＭＤ１１で画像を見るための操作を行うだけで、自動的に使用者Ｕの頭部Ｈ（その顔面）と本体部３１（その対向壁３４）との間（遮蔽空間４６）を強制的に換気することができる。これにより、換気装置１０では、使用者ＵがＨＭＤ１１で画像を見ることとは異なる操作を行う必要がなくなるので、使い勝手を向上させることができる。
【００３７】
換気装置１０では、ＨＭＤ１１（そのＨＭＤ制御部３８）に画像データを出力する画像サーバ１２により、送風部５１（その羽根部分５４）で生じさせる気流の大きさ（風量）が調整される。このため、換気装置１０では、ＨＭＤ１１で画像を見るための操作を行うだけで、自動的に使用者Ｕの頭部Ｈ（その顔面）と本体部３１（その対向壁３４）との間（遮蔽空間４６）の換気の程度を変化させることができる。特に、実施例１では、サーバ制御部２１が、ＨＭＤ１１（そのＨＭＤ制御部３８）に出力する画像信号（その画像）の内容に応じて、気流の大きさ（風量）を調整させる。これにより、換気装置１０では、使用者ＵがＨＭＤ１１で画像を見ることとは異なる操作を行う必要がなくなるとともに、当該間（遮蔽空間４６）をより適切に換気することができ、使い勝手をより向上させることができる。
【００３８】
換気装置１０では、操作部５８への操作により、強制的な換気の有無およびその換気の程度を調整することができる。このため、換気装置１０では、使用者Ｕの感覚に適合させて頭部Ｈ（その顔面）と本体部３１（その対向壁３４）との間（遮蔽空間４６）を換気することができ、使用者Ｕを没入型のＨＭＤ１１の画像により適切に没入させることができる。
【００３９】
換気装置１０では、気流案内部５２が送風部５１とともにＨＭＤ１１の本体部３１に取り付けられるので、ＨＭＤ１１を装着した使用者Ｕの移動を制限することを防止でき、使い勝手をより向上させることができる。
【００４０】
したがって、本発明に係る換気装置としての実施例１の換気装置１０では、使用者Ｕの顔面（両眼の周辺）と本体部３１との間に熱や水蒸気が籠ることを抑制することができる。
【００４１】
なお、上記した実施例１では、気流案内部５２の他端５２ｂをブリンカー３２に設けられた切欠箇所４１に差し込むことで、ＨＭＤ１１の遮蔽空間４６に接続している。しかしながら、気流案内部５２の他端５２ｂは、使用者Ｕの頭部Ｈ（その顔面）と本体部３１（その対向壁３４）との間（遮蔽空間４６）に開放すれば、例えば、ブリンカー３２の換気孔を利用してもよく、他の構成であってもよく、上記した実施例１の構成に限定されない。このとき、気流案内部５２の他端５２ｂは、使用者ＵによるＨＭＤ１１の画像の視認を妨げるものでなければ、例えば、使用者Ｕから見てＨＭＤ１１の上方や両側方から当該間に開放してもよく、他の方向であってもよく、上記した実施例１の構成に限定されない。
【００４２】
また、上記した実施例１では、送風部５１と気流案内部５２とをＨＭＤ１１の本体部３１に取り付ける構成としている。しかしながら、例えば、気流案内部５２をより長尺とし、送風部５１をＨＭＤ１１とは異なる箇所に設置して、そこから伸びる気流案内部５２の他端５２ｂを使用者Ｕの頭部Ｈ（その顔面）と本体部３１（その対向壁３４）との間（遮蔽空間４６）に開放してもよい。このようにすると、ＨＭＤ１１の重量の軽減を図ることができ、使い勝手を向上させることができる。
【００４３】
さらに、上記した実施例１では、ＨＭＤ１１がブリンカー３２を有し各表示素子３７が非透過型の没入型とされていたが、例えば、各表示素子３７が透過型であったり、ブリンカー３２を有さない構成であったりしてもよく、上記した実施例１の構成に限定されない。
【００４４】
上記した実施例１では、換気装置１０（その換気制御部５７）が画像サーバ１２に接続されていたが、画像サーバ１２に接続されていなくてもよく、上記した実施例１の構成に限定されない。その場合であっても、換気装置１０（その換気制御部５７）は、使用者Ｕの頭部Ｈ（その顔面）と本体部３１（その対向壁３４）との間（遮蔽空間４６）の強制的な換気を自動的に行うことが望ましい。その自動的な駆動は、例えば、ＨＭＤ１１のＨＭＤ制御部３８に接続したり、使用者Ｕの頭部Ｈ（その顔面）と本体部３１（その対向壁３４）との間（遮蔽空間４６）の状態を検出するセンサを設けたりすることで、実現することができる。
【００４５】
上記した実施例１では、サーバ制御部２１が、ＨＭＤ１１（そのＨＭＤ制御部３８）に出力する画像信号（その画像）の内容に応じて気流の大きさ（風量）を調整している。しかしながら、出力する画像信号（その画像）の内容とは異なる要素（実施例２での環境状態等）で気流の大きさ（風量）を調整してもよく、気流の大きさ（風量）を調整しなくてもよく、上記した実施例１の構成に限定されない。
【実施例２】
【００４６】
次に、本発明の換気装置の一例としての実施例２の換気装置１０Ａについて、図５から図７を用いて説明する。この実施例２の換気装置１０Ａは、実施例１の換気装置１０に、フレーム６１と透明フィルム６２と２つの温度センサ６３と２つの湿度センサ６４とを設ける例である。この実施例２の換気装置１０Ａは、基本的な概念および構成は実施例１の換気装置１０と同様であるため、等しい概念および構成の個所には同じ符号を付し、その詳細な説明は省略する。
【００４７】
実施例２の換気装置１０Ａでは、図５に示すように、気流案内部５２にフレーム６１を設け、そのフレーム６１に透明フィルム６２を設けている。そのフレーム６１は、ＨＭＤ１１のブリンカー３２に内側から宛がうことを可能とする帯状を呈し、例えば、樹脂材料等で形成する。フレーム６１は、実施例２では、気流案内部５２の他端５２ｂの近傍に両端が取り付けられて、その他端５２ｂの上方で環状を呈する。このフレーム６１に透明フィルム６２が取り付けられる。
【００４８】
その透明フィルム６２は、環状とされたフレーム６１の前側（後述するようにＨＭＤ１１の本体部３１に取り付けられた際の表示部３５側）に貼り付けて設けられる。透明フィルム６２は、透明材料から為る薄膜のフィルムで形成され、透明フィルム６２の周囲全体をフレーム６１に貼り付けることで、フレーム６１により補強される。透明フィルム６２は、フレーム６１により補強されることで、皺が生じず、使用者ＵによるＨＭＤ１１（その表示部３５）の画像の視認を阻害することを防止している。この透明フィルム６２は、後述するように遮蔽空間４６の強制換気の際に、フレーム６１と協働して、ブリンカー３２の換気孔のみに気流が形成されることを防止する。このため、透明フィルム６２およびフレーム６１には、強制換気の際の換気孔への気流の量を調整すべく、適宜空気穴を設けている。
【００４９】
また、換気装置１０Ａでは、図５および図６に示すように、２つの温度センサ６３と２つの湿度センサ６４とを設けている。その各温度センサ６３および各湿度センサ６４は、使用者Ｕの頭部Ｈ（その顔面）と本体部３１（その対向壁３４）との間（遮蔽空間４６）における温度や湿度等の環境状態を検出するために設けられる。温度センサ６３および湿度センサ６４は、実施例２では、当該間（遮蔽空間４６）とＨＭＤ１１（そのブリンカー３２）の外側との環境状態（温度、湿度）の差を検出すべく、それぞれが２つずつ設けられる。実施例２では、一方の温度センサ６３および湿度センサ６４（個別に述べる際には第１温度センサ６３１および第１湿度センサ６４１とする）が、フレーム６１の内側であって気流案内部５２の他端５２ｂの近傍に設けられる（図５参照）。また、実施例２では、他方の温度センサ６３および湿度センサ６４（個別に述べる際には第２温度センサ６３２および第２湿度センサ６４２とする）が、送風部５１（その筐体５３）の外側であって気流案内部５２が設けられた後側とは反対の前側に設けられる。
【００５０】
この各温度センサ６３および各湿度センサ６４は、図７に示すように、換気制御部５７に接続され、それぞれが検出信号を換気制御部５７へと出力する。このため、換気制御部５７は、ＨＭＤ１１の遮蔽空間４６内とＨＭＤ１１（そのブリンカー３２）の外側との温度および湿度を取得でき、かつそれらの差（差分）を取得できる。換気制御部５７は、実施例２では、遮蔽空間４６内における温度や湿度のいずれか一方がそれぞれに設定した閾値を超えると、送風部５１（その羽根部分５４）を回転駆動し、各値に応じて送風部５１（羽根部分５４）による気流の大きさ（風量）を調整する。また、換気制御部５７は、実施例２では、各温度センサ６３および各湿度センサ６４での検出に基づき、遮蔽空間４６内の温度または湿度とＨＭＤ１１（ブリンカー３２）の外側の温度または湿度との差（差分）を求める。そして、換気制御部５７は、当該差（差分）が差分の閾値を超えると、遮蔽空間４６内の温度や湿度（それらの絶対値）に拘わらず、送風部５１（その羽根部分５４）を回転駆動し、各差分に応じて送風部５１（羽根部分５４）による気流の大きさ（風量）を調整する。このように、換気装置１０Ａでは、第１温度センサ６３１と第１湿度センサ６４１とで遮蔽空間４６内の環境状態（その絶対値）を取得する。また、換気装置１０Ａでは、第２温度センサ６３２と第２湿度センサ６４２とでブリンカー３２（遮蔽空間４６）の外側の環境状態を取得し、使用者Ｕの感覚に合わせるべく相対的な遮蔽空間４６内の環境状態の把握を可能とする。これらのことから、換気装置１０Ａでは、各温度センサ６３および各湿度センサ６４が、使用者Ｕの頭部Ｈ（その顔面）と本体部３１（その対向壁３４）との間（遮蔽空間４６）における温度や湿度等の環境状態を検出する環境状態センサとして機能する。
【００５１】
この換気装置１０Ａは、フレーム６１をブリンカー３２に内側から宛がいつつ、気流案内部５２の他端５２ｂを切欠箇所４１に差し込んで、その換気装置１０Ａ（送風部５１の筐体５３および気流案内部５２）をＨＭＤ１１（そのブリンカー３２）に固定する。これにより、ＨＭＤ１１（ブリンカー３２）では、網目部材（メッシュ）で覆われた換気孔が、フレーム６１により塞がれる。そして、換気装置１０Ａを備えるディスプレイシステム１Ａでは、実施例１と同様に、ＨＭＤ１１と換気装置１０Ａと画像サーバ１２とをＵＳＢケーブル１３で接続し、そのＨＭＤ１１を使用者Ｕの頭部Ｈに装着する。これにより、ＨＭＤ１１では、実施例１と同様に遮蔽空間４６が形成され、その遮蔽空間４６に気流案内部５２の他端５２ｂが開放される。このため、ディスプレイシステム１Ａでは、実施例１と同様に、使用者ＵがＨＭＤ１１を用いて画像を見ることができる。
【００５２】
このディスプレイシステム１Ａでは、実施例１と同様に、ＨＭＤ１１において気流案内部５２の他端５２ｂが開放された遮蔽空間４６を、換気装置１０Ａ（その送風部５１）で強制的に換気することができる。そのＨＭＤ１１では、ブリンカー３２の換気孔がフレーム６１で覆われるとともに、そのフレーム６１の前側の端部が透明フィルム６２で覆われているので、換気装置１０Ａ（送風部５１）が形成した気流が上記した換気孔を通ることがより確実に抑制される。このため、ディスプレイシステム１ＡのＨＭＤ１１では、換気装置１０Ａ（送風部５１）による強制的な換気の際に、使用者Ｕの頭部Ｈ（その顔面）とそこに押し当てられる密接パッド４２（接頭箇所）との間に気流を確実に形成することができる。
【００５３】
実施例２の換気装置１０Ａでは、基本的に実施例１の換気装置１０と同様の構成であるので、基本的に実施例１と同様の効果を得ることができる。
【００５４】
それに加えて、実施例２の換気装置１０Ａでは、フレーム６１が、ＨＭＤ１１（ブリンカー３２）に設けられた換気孔を塞ぐ。このため、換気装置１０Ａでは、遮蔽空間４６とそれを構成するブリンカー３２の外側（その雰囲気）との間に圧力差を形成すると、使用者Ｕの頭部Ｈ（顔面）とそこに押し当てられる密接パッド４２（接頭箇所）との間に気流を確実に形成することができる。これにより、換気装置１０Ａでは、使用者Ｕの頭部Ｈ（顔面）と密接パッド４２（接頭箇所）との間に熱や水蒸気が籠ることをより効果的に防止することができる。
【００５５】
また、換気装置１０Ａでは、フレーム６１を気流案内部５２の他端５２ｂに固定して設けている。このため、換気装置１０Ａでは、ＨＭＤ１１（その本体部３１）に取り付ける際に、そのブリンカー３２に取り付けるフレーム６１と気流案内部５２の他端５２ｂとの位置調整することなく、フレーム６１と気流案内部５２とを本体部３１に適切に取り付けることができる。これにより、換気装置１０Ａでは、遮蔽空間４６の強制的な換気をより適切に行うことができ、簡易な構成および組み付け作業としつつ使用者Ｕを没入型のＨＭＤ１１の画像により没入させることができる。
【００５６】
さらに、換気装置１０Ａでは、フレーム６１に透明フィルム６２を設けている。このため、換気装置１０Ａでは、遮蔽空間４６における使用者Ｕの頭部Ｈ（顔面）とフレーム６１と透明フィルム６２とに囲まれた空間に、送風部５１（その羽根部分５４）により気流を形成することができる。これにより、換気装置１０Ａでは、送風部５１による強制的な換気により圧力差を形成すると、使用者Ｕの頭部Ｈ（顔面）と密接パッド４２（接頭箇所）との間に気流をより確実に形成することができる。これにより、換気装置１０Ａでは、使用者Ｕの頭部Ｈ（顔面）と密接パッド４２（接頭箇所）との間に熱や水蒸気が籠ることをより確実に防止することができる。
【００５７】
換気装置１０Ａでは、フレーム６１の前側に透明フィルム６２を設けている。フレーム６１の前側に設けることで、圧力差に応じて使用者Ｕの頭部Ｈ（顔面）に接触する可能性がなくなる。さらに、透明フィルム６２が一部のみで固定されていると、圧力差に応じて皺が形成されることが懸念されるが、透明フィルム６２の周囲全体をフレーム６１に貼り付けることで、フレーム６１により補強されるので、皺は生じない。このため、換気装置１０Ａでは、遮蔽空間４６に空気を強制的に送るまたは遮蔽空間４６から空気を強制的に排出しても、透明フィルム６２が使用者Ｕの頭部Ｈ（顔面）に接触したり画像の視認を阻害したりすることを防止できる。このように構成することより、換気装置１０Ａでは、透明フィルム６２を設けても使用者Ｕの感覚に応じて送風部５１が生じさせる気流の向きを設定することができ、使用者ＵをＨＭＤ１１の画像により没入させることができる。
【００５８】
換気装置１０Ａでは、強制換気の際の換気孔への気流の量を調整すべく、透明フィルム６２およびフレーム６１に適宜空気穴を設けている。このため、換気装置１０Ａでは、使用者Ｕの頭部Ｈ（顔面）と密接パッド４２（接頭箇所）との間に形成する気流の大きさ（風量）を適切とすることができ、それらの間を適切に換気できる。これにより、換気装置１０Ａでは、使用者Ｕの頭部Ｈ（顔面）と密接パッド４２（接頭箇所）との間に熱や水蒸気が籠ることをより効果的に防止することができる。
【００５９】
換気装置１０Ａでは、使用者Ｕの頭部Ｈ（その顔面）と本体部３１（その対向壁３４）との間（遮蔽空間４６）に環境状態センサを設け、その環境状態センサでの検出に応じて換気制御部５７が送風部５１（その羽根部分５４）を回転駆動する。このため、換気装置１０Ａでは、当該間（遮蔽空間４６）の環境状態に応じて強制的な換気を行うことができ、使用者Ｕを没入型のＨＭＤ１１の画像により没入させることができる。特に、実施例２の換気装置１０Ａでは、環境状態センサでの検出に応じて送風部５１（羽根部分５４）で生じさせる気流の大きさ（風量）を調整するので、当該間（遮蔽空間４６）の強制的な換気をより適切に行うことができる。
【００６０】
換気装置１０Ａでは、使用者Ｕの頭部Ｈ（その顔面）と本体部３１（その対向壁３４）との間（遮蔽空間４６）の環境状態を検出する環境状態センサとして、温度センサ６３と湿度センサ６４とを用いている。このため、換気装置１０Ａでは、当該間（遮蔽空間４６）に熱が籠った様子を示す温度やその熱に起因する水蒸気等による湿気を示す湿度に基づいて、送風部５１（その羽根部分５４）による当該間（遮蔽空間４６）の強制的な換気を行うことができる。これにより、換気装置１０Ａでは、当該間（遮蔽空間４６）の強制的な換気をより適切に行うことができ、使用者ＵをＨＭＤ１１の画像により没入させることができる。
【００６１】
換気装置１０Ａでは、遮蔽空間４６に第１温度センサ６３１と第１湿度センサ６４１とを設け、ブリンカー３２の外側に第２温度センサ６３２と第２湿度センサ６４２とを設けている。また、換気装置１０Ａでは、ＨＭＤ１１の遮蔽空間４６内の温度および湿度と、ＨＭＤ１１（そのブリンカー３２）の外側の温度および湿度と、の差（差分）を求める。そして、換気装置１０Ａでは、その差（差分）に応じて、送風部５１（その羽根部分５４）を回転駆動し、各差分に応じて送風部５１（羽根部分５４）で生じさせる気流の大きさ（風量）を調整する。このため、換気装置１０Ａでは、より使用者Ｕの感覚に適応させて使用者Ｕの頭部Ｈ（その顔面）と本体部３１（その対向壁３４）との間（遮蔽空間４６）を強制的に換気することができ、使用者ＵをＨＭＤ１１の画像により没入させることができる。
【００６２】
したがって、本発明に係る換気装置としての実施例２の換気装置１０Ａでは、使用者Ｕの顔面（両眼の周辺）と本体部３１との間に熱や水蒸気が籠ることを抑制することができる。
【００６３】
なお、実施例２の換気装置１０Ａでは、フレーム６１を気流案内部５２の他端５２ｂに固定して設けていたが、ブリンカー３２の換気孔を塞げば、例えば気流案内部５２とは別体で設けてもよく、他の構成でもよく、実施例２の構成に限定されない。
【００６４】
また、実施例２の換気装置１０Ａでは、環境状態センサとして、２つの温度センサ６３と２つの湿度センサ６４とを設けている。しかしながら、環境状態センサは、使用者Ｕの頭部Ｈ（その顔面）と本体部３１（その対向壁３４）との間（遮蔽空間４６）の環境状態を検出すればよく、実施例２の構成に限定されない。その環境状態センサは、例えば、温度センサ（６３）と湿度センサ（６４）とが一体であってもよく、当該間（遮蔽空間４６）のみに設けられてもよく、温度センサ（６３）と湿度センサ（６４）とのいずれか一方のみを設けてもよく、適宜設定できる。また、第１温度センサ６３１と第１湿度センサ６４１とは、使用者Ｕが不快に感じ得る箇所の環境状態を検出すれば、例えば密接パッド４２の内部や鼻当材５６の内部に設けてもよく、他の箇所に設けてもよく、上記した実施例２の構成に限定されない。さらに、第１温度センサ６３１と第１湿度センサ６４１とは、遮蔽空間４６から空気を強制的に排出する際には、例えば気流案内部５２の内部や送風部５１の筐体５３の内部に設けてもよく、他の箇所に設けてもよく、上記した実施例２の構成に限定されない。ついで、第２温度センサ６３２と第２湿度センサ６４２とは、ＨＭＤ１１（ブリンカー３２）の外側の環境状態を検出すれば、他の箇所に設けてもよく、上記した実施例２の構成に限定されない。
【００６５】
上記した実施例２では、換気装置１０Ａの換気制御部５７が、各温度センサ６３および各湿度センサ６４での検出に基づいて送風部５１（その羽根部分５４）を駆動している。しかしながら、各温度センサ６３および各湿度センサ６４での検出を画像サーバ１２（そのサーバ制御部２１）が取得し、それらに基づいて画像サーバ１２（サーバ制御部２１）が送風部５１（その羽根部分５４）を駆動してもよい。その場合、画像サーバ１２（サーバ制御部２１）は、各温度センサ６３および各湿度センサ６４での検出に基づき、ＨＭＤ１１（そのＨＭＤ制御部３８）に出力する画像信号（その画像）の内容を変更するものとしてもよい。その例としては、画像がエクササイズである場合、使用者Ｕの頭部Ｈ（その顔面）と本体部３１（その対向壁３４）との間（遮蔽空間４６）の温度や湿度が上昇すると、運動量や興奮度の低いエクササイズの画像をＨＭＤ１１（ＨＭＤ制御部３８）に出力する。このような変更は、予め複数の画像を用意しておくことで実現することができる。
【００６６】
上記した実施例２では、実施例１の換気装置１０に、フレーム６１と透明フィルム６２と２つの温度センサ６３と２つの湿度センサ６４とを設けていたが、それらのいずれか１つのみを設けるものであってもよく、実施例２の構成に限定されない。
【００６７】
上記した実施例２では、フレーム６１の前側に皺なく貼り付けて透明フィルム６２を設けていたが、フレーム６１と協働してブリンカー３２の換気孔のみに気流が形成されることを防止すれば、適宜設ければよく、実施例２の構成に限定されない。
【００６８】
なお、上記した各実施例では、本発明に係る換気装置の一例としての各実施例の換気装置１０、１０Ａについて説明したが、表示部が設けられた本体部が使用者の頭部に装着されるヘッドマウントディスプレイに用いる換気装置であって、空気を取り込みかつ取り込んだ空気を送出可能な送風部と、前記送風部に一端が接続され、前記送風部で形成された気流を前記一端と他端との間で案内する気流案内部と、を備え、前記気流案内部は、前記他端が前記本体部と前記頭部との間に開放される換気装置であればよく、上記した各実施例に限定されない。
【００６９】
また、上記した各実施例では、換気装置１０、１０ＡをＨＭＤ１１（その本体部３１）に取り付ける構成としていたが、予め換気装置（１０、１０Ａ）をＨＭＤ（１１）に内蔵して（一体的に）構成してもよく、上記した各実施例に限定されない。その構成を、実施例１の換気装置１０をＨＭＤ１１に内蔵させた例としてのＨＭＤ１１Ｂ（それを備えるディスプレイシステム１Ｂ）について、図８および図９を用いて説明する。このディスプレイシステム１Ｂは、基本的な概念および構成は実施例１のディスプレイシステム１と同様であるため、等しい概念および構成の個所には同じ符号を付し、その詳細な説明は省略する。ＨＭＤ１１Ｂでは、換気装置１０Ｂを内蔵することから、図８に示すように、ＨＭＤ制御部３８に、一対の表示素子３７およびＵＳＢ端子３９に加えて、モータ５５と操作部５８とが接続される。このＨＭＤ１１Ｂでは、ＨＭＤ制御部３８が操作部５８に為された操作に応じた信号を取得し、そのＨＭＤ制御部３８の制御下で送風部５１（その羽根部分５４）が回転駆動される。このような構成とすると、制御部（ＨＭＤ制御部３８）や端子（ＵＳＢ端子３９）を統合することができ、信号線（回路）や動力の伝達経路の取り回しを簡易とすることができる。また、ＨＭＤ１１Ｂ（その表示部３５）に表示させる画像と送風部５１（その羽根部分５４）による気流の形成とを、より簡易に連動させることができ、使用者ＵをＨＭＤ１１Ｂの画像により没入させることができる。さらに、ＨＭＤ１１Ｂでは、遮蔽空間４６に対する気流案内部５２の角度や位置を、その遮蔽空間４６の形状や構成に応じて最適な設定とすることができ、遮蔽空間４６をより適切に換気することができる（図９参照）。ついで、ＨＭＤ１１Ｂでは、送風部５１を本体部３１Ｂに埋め込むことができ、意匠性を向上させつつ使い勝手を向上させることができる（図９参照）。
【００７０】
さらに、上記した各実施例では、各構成の接続にＵＳＢケーブル１３を用いていたが、信号の遣り取りを可能とするものであればよく、各実施例の構成に限定されない。
【００７１】
以上、本発明の換気装置を各実施例に基づき説明してきたが、具体的な構成については各実施例に限られるものではなく、本発明の要旨を逸脱しない限り、設計の変更や追加等は許容される。
【符号の説明】
【００７２】
１０、１０Ａ、１０Ｂ  換気装置
１１、１１Ｂ  ヘッドマウントディスプレイ（ＨＭＤ）
１２  画像サーバ
３１  本体部
３２  （遮蔽部の一例としての）ブリンカー
３５  表示部
４２  （接頭箇所の一例としての）密接パッド
４６  遮蔽空間
５１  送風部
５２  気流案内部
５２ａ  一端
５２ｂ  他端
６３  （環境状態センサの一例としての）温度センサ
６４  （環境状態センサの一例としての）湿度センサ
Ｈ  頭部
Ｕ  使用者
【先行技術文献】
【特許文献】
【００７３】
【特許文献１】特開平０８−１２５９４８号公報
【図１】
2017022657.tif 000003
【図２】
2017022657.tif 000004
【図３】
2017022657.tif 000005
【図４】
2017022657.tif 000006
【図５】
2017022657.tif 000007
【図６】
2017022657.tif 000008
【図７】
2017022657.tif 000009
【図８】
2017022657.tif 000010
【図９】
2017022657.tif 000011